(57)【要約】      （修正有）【課題】着物の正しい着方で、簡単に着用することができる着物風エプロンを提供する。【解決手段】胸当て部３と、前掛け部７とを備えるエプロン本体１と、首掛け部９と、エプロン本体１に固定され、着用者の胴部に巻きつけ締められる帯部１１とより構成する。また、胸当て部３は、帯部１１に至るまで右側部４と左側部５とに分離して構成され、首掛け部９が、中間部位を首の後ろに係止される係止部３０ｃとし、左右両端側３０ａ，３０ｂを胸当て部３の左側部５と右側部４とのそれぞれの内縁５ａ，４ａに沿って相互にＶ字状に交差するように配置させて、ループ状とした長尺帯状の衿部３０からなる。衿部３０の左端側３０ｂが、右端側３０ａの上に重なるように予め配置された状態で固定されて、帯部１１に届くように配置され、帯部１１が、エプロン本体１を左右方向に横切るように延設される広幅の長尺帯状に形成される。【選択図】図３
0003168790.tif 000002
【実用新案登録請求の範囲】
【請求項１】
着用者の胸部を覆う胸当て部と、下半身における少なくとも前面側を覆う前掛け部とを備えるエプロン本体と、
前記胸当て部に延設されて着用者の首に掛けられる首掛け部と、
前記エプロン本体に固定され、着用者の胴部に巻きつけ締められる帯部と、
を備えて、着物を模して形成される着物風エプロンであって、
前記胸当て部は、前記帯部に至るまで右側部と左側部とに分離して構成され、
前記首掛け部が、中間部位を首の後ろに係止される係止部とし、左右両端側を前記胸当て部の前記左側部と右側部とのそれぞれの内縁に沿って相互にＶ字状に交差するように配置させて、ループ状とした長尺帯状の衿部からなり、
前記衿部の左端側が、右端側の上に重なるように予め配置された状態で固定されて、前記帯部に届くように配置され、
前記帯部が、前記エプロン本体を左右方向に横切るように延設される広幅の長尺帯状に形成される
ことを特徴とする着物風エプロン。
【請求項２】
前記帯部における、着用時に正面に配置される正面部近傍の内周側にポケットが設けられることを特徴とする請求項１記載の着物風エプロン。
【請求項３】
前記帯部の下縁側に沿って、着物のお端折を模して垂れるように設けられるお端折り風装飾部をさらに備えることを特徴とする請求項１または請求項２のいずれかに記載の着物風エプロン。
【請求項４】
着用時の背面側において、前記衿部の前記係止部を下方に引っ張り可能とする衿抜き牽引部が、前記係止部の下縁側から延設されていることを特徴とする請求項１乃至請求項３のいずれかに記載の着物風エプロン。
【請求項５】
伊達衿を模した伊達衿部が、前記衿部の内縁にそって内縁からはみ出すように設けられることを特徴とする請求項１乃至請求項４のいずれかに記載の着物風エプロン。
【請求項６】
着用時における前記帯部の背面側に配置可能に、前記帯部と共布からなり、着物の帯の結び部分を模して予め任意の結び方に結ばれた状態に成形される前記帯部とは別体の帯装飾部を備えることを特徴とする請求項１乃至請求項５のいずれかに記載の着物風エプロン。
【考案の詳細な説明】
【技術分野】
【０００１】
本考案は、着用するとあたかも着物を着ているかのように見せることができる着物風エプロンに関する。
【背景技術】
【０００２】
日本料理店や居酒屋等の飲食店では、着物が従業員の制服としてよく使用されている。
【考案の概要】
【考案が解決しようとする課題】
【０００３】
着物には正しい着方というものがあり、例えば、衿の打ち合わせの仕方はその代表であって、右前、すなわち着用者から見て左側の衿が右側の衿の上に重なるように着用するのがきまりとなっている。また、特に女性の場合、お端折を作ることや衿（衣紋）を抜くこと等が長年の慣習、常識となっており、このうちのどれを欠いても違和感を感じさせるものである。しかしながら、着物が普段着として着られなくなってから久しい現代では、そのような常識を常識として世間一般に求めることは難しく、しばしば着物が間違った着方をされていることが指摘されている。上述した飲食店における制服でも、衿の打ち合わせを左前にする等の誤った着方がされることがある。それを見る側が着物について知識がある者なら違和感や不快感を感じ、必要であれば注意をすることもできるが、問題なのは、着物に馴染みのない若者や外国人が、間違った着方を正しい着方であると誤って認識してしまうことであり、これは、着物文化の継承の点から好ましくない。特に国際化が進む現代では、外国人がそういった制服を着用する側に回る機会も多くなっているため、身近なところで着物の正しい着方を一般に周知させるための対策を講じることが望ましい。
【０００４】
その一方、着物は、着付けに熟練と時間を要するものであるということ及び活動的にはできていないことから、機敏な動作を要求され、アルバイトも多い飲食店の従業員に着物を毎日着用することを要求するのも現実的でない。
【０００５】
その点、エプロンであれば、簡単に着用することができる上に、紐で結ぶ形式とすればワンサイズでさまざまな体格の人に対応することができるという利点がある。
【０００６】
そこで、本考案は、主に飲食店等の制服として使用されることを想定し、あたかも着物を着ているかのように見えて、簡単に着用することができ、かつ誰が着ても着物の正しい着方を表現することができて、着物文化の継承に寄与することのできる着物風エプロンを提供することを目的とする。
【課題を解決するための手段】
【０００７】
本考案に係る着物風エプロンは、着物を模して形成されるもので、着用者の胸部を覆う胸当て部と、下半身における少なくとも前面側を覆う前掛け部とを備えるエプロン本体と、胸当て部に延設されて着用者の首に掛けられる首掛け部と、エプロン本体に固定され、着用者の胴部に巻きつけ締められる帯部と、を備える。胸当て部は、帯部に至るまで右側部と左側部とに分離して構成され、首掛け部が、中間部位を首の後ろに係止される係止部とし、左右両端側を胸当て部の左側部と右側部とのそれぞれの内縁に沿って相互にＶ字状に交差するように配置させて、ループ状とした長尺帯状の衿部からなる。また、衿部の左端側が、右端側の上に重なるように予め配置された状態で固定されて、帯部に届くように配置され、帯部がエプロン本体を左右方向に横切るように延設される広幅の長尺帯状に形成される。
【０００８】
このように構成される着物風エプロンを着用すれば、あたかも着物を着ているかのように見える。また、首掛け部としてのループ状の衿部を首に掛け、帯部を胴回りに回し、締めて結ぶだけで着用できるから、一般の胸当て付きエプロンと同様に簡単に着用することができる。その上、着物の衿が「右前」に打ち合わされるように、衿部の左端側が右端側の上に重なるように衿の打ち合わせが予め正しくなされて固定されているため、誰が着ても衿の打ち合わせを間違うことなく、正しい着物の着方を表現することができ、また、着用中に衿部が開いてくるといった着崩れの心配もない。もちろん、長尺状の帯部を締めて結ぶ形式であるので、一般のエプロンと同様、ワンサイズでさまざまな体格の人に対応することができる。
【０００９】
上記の着物風エプロンにおいて、帯部における、着用時に正面に配置される正面部近傍の内周側にポケットを設けることとすれば、前掛け部の表面に別途の布片を縫い付ける等の場合と比較して、仕事中に必要となる筆記具や伝票等を入れるポケットを、着物風の外観になんらの影響を与えることなく作ることができる。
【００１０】
また、上記の着物風エプロンに、帯部の下縁側に沿って、着物のお端折を模して垂れるように設けられるお端折り風装飾部を設ければ、特に女性用の着物の正しい着方を表現することができる。なお、男性用とする場合には、お端折風装飾部を設けない態様とすればよい。
【００１１】
また、上記の着物風エプロンに、着用時の背面側において衿部の係止部を下方に引張り可能とする衿抜き牽引部を、係止部の下縁側から延びるように形成してもよい。特に女性が着用する場合に、この衿抜き牽引部を下方に引っ張ることにより、首の後ろに係止される衿部の係止部が背面側において下方に下げられるため、着物において衿抜きをするのと同じ態様になり、より着物らしさを表現することができる。
【００１２】
また、上記の着物風エプロンに、着物の伊達衿を模した伊達衿部を、衿部の内縁に沿って内縁からはみ出すように設ければ、より着物らしさを表現することができる。
【００１３】
さらに、帯部と共布からなり、着物の帯の結び部分を模して予め任意の結び方に結ばれた状態に成形される帯部とは別体の帯装飾部を設けて、これを帯部の着用時における背面側に配置すれば、着物風エプロンをより着物に近づけて見せることができる。
【図面の簡単な説明】
【００１４】
【図１】本考案の実施例である着物風エプロンの正面側から見た展開図である。
【図２】図１のエプロンの背面側から見た展開図である。
【図３】図１のエプロンの部分拡大図である。
【図４】図１のエプロンの着用方法を説明する図である。
【図５】図１のエプロンを着用した状態を示す正面から見た図である。
【図６】別体の帯装飾部を説明する図である。
【考案を実施するための形態】
【００１５】
以下に本考案の望ましい実施形態を図面に基づいて説明する。
【００１６】
図１及び図２に示す本考案の一実施例である着物風エプロンＡは、着物をリフォームして製造した織物生地製であり、着用者の胸部を覆う胸当て部３と、着用者の下半身を覆う前掛け部７とを備えるエプロン本体１と、胸当て部３から延設されて着用者の首に掛けられる首掛け部９と、エプロン本体１に固定され、着用者の胴部に巻きつけ締められる帯部１１と、を備えて構成される。
【００１７】
図１及び図３に示すように、エプロン本体１の胸当て部３は、帯部１１に至るまで右側部４と左側部５とに分離して形成されており、両者の間にＶ字形の凹部を形成するような略台形にそれぞれが形成されている。なお、本明細書における左右方向は、着用者から見た左右を基準としている。右側部４の内縁４ａと左側部５の内縁５ａには、後述する首掛け部９を構成する衿部３０が連接され、外縁４ｂ，５ｂには、フリル２５があしらわれている。
【００１８】
前掛け部７は、着用者の下半身における少なくとも前面側を覆うように形成されるもので、実施形態では、横幅を約９３ｃｍとして、平均的な体格の女性の下半身の前面側から側面側を経て、背面側の一部までを覆う程度の幅とし、長さを約７５ｃｍと、同じく平均的な体格の女性のひざ下まで届く程度の長さとしている。実施形態の着物風エプロンＡは着物をリフォームして作られたものであり、前掛け部７は、着物の反物の幅である幅約３６ｃｍの３枚の長方形の基布を、中央の基布７ｃが右側基布７ａと左側基布７ｂの上に部分的に重なるように、左右方向に並列させ、重なった部分をそれぞれ上から１／３程度の位置まで縫合して、その下の裾部分を開き可能に形成されている。なお、胸当て部３と前掛け部７とは、共布で形成されている。
【００１９】
首掛け部９は、着物の衿を模して長尺帯状に形成される衿部３０から構成される。衿部３０は、中間部位を首の後ろに係止される係止部３０ｃとし、左右両端側３０ａ，３０ｂを、それぞれ胸当て部３における右側部４と左側部５との内縁４ａ，５ａに沿って、相互にＶ字状に交差するように配置させた、ループ状に形成されている。そして、Ｖ字状に交差された衿部３０の左右両端側３０ａ，３０ｂは、着物の衿が「右前」に打ち合わされるように、左端側３０ｂが右端側３０ａの上に重なるように予め配置され、その状態で固定されており、左端側３０ｂは、帯部１１に届くような態様としている。実施形態では、図３に示すように、左端側３０ｂが右端側３０ａの上に重なった状態を、帯部１１に隠れる位置でステッチ３２により固定されている。また、実施形態では、図３に示すように、衿部３０の内縁３０ｄすなわち衿ぐりに沿って、着物の伊達衿を模した伊達衿部２７が、内縁３０ｄから約５ｍｍの幅ではみ出すように設けられている。
【００２０】
帯部１１は、着用者の胴部に巻きつけて締めるもので、エプロン本体１を左右方向に横切るように延設されてエプロン本体１に固定される広幅の長尺帯状としている。実施形態の帯部１１は、上縁１１ｃと前掛け部７の上縁７ｄを揃えるようにして前掛け部７の上縁７ｄに沿って配置されて、下縁１１ｄにおいて前掛け部７の横幅方向の全域に亘って前掛け部７にステッチ３６により結合されている。上縁１１ｃも前掛け部７の上縁７ｄにステッチ３８により結合されているが、ステッチ３８は、胸当て部３下方に配置され、着用時に正面となる帯部１１の正面部１１ｅの領域において分断されている。すなわち、帯部１１の上縁１１ｃは、正面部１１ｅにおいてはエプロン本体１に縫合されていない。これにより、正面部１１ｅとエプロン本体１の間には、ポケット２０が形成されている。帯部１１の長さは実施形態では約２ｍ４０ｃｍとし、幅は、正面部１１ｅを含めた前掛け部７と重なる部位、すなわち、胴回りに巻かれる部位では約１５ｃｍと、反幅帯と略同じ幅とし、結びに使用される両端側にかけては徐々に細くなるように形成されている。また、実施形態の帯部１１における、前掛け部７の左端近傍に対応する位置には、帯を締める際に、右端側１１ａを挿通させるためのスリット１３が帯部１１とエプロン本体１とを貫通するように設けられている。なお、実施形態の帯部１１は、既存の反幅帯を利用したものであり、エプロン本体１とは、生地の種類や色を異なったものとしている。
【００２１】
図２に示すように、着物風エプロンＡの背面において、首掛け部９としての衿部３０の係止部３０ｃの下縁側３０ｅには、着用時の背面側において、係止部３０ｃを下方に引張り可能とする衿抜き牽引部３５が延設されている。実施形態における衿抜き牽引部３５は、右側帯体３５ａと左側帯体３５ｂとの２本の帯状の部材から構成されており、右側帯体３５ａと左側帯体３５ｂとは、それぞれ、着物の身頃をそのまま利用したことにより、胸当て部３の右側部４と左側部５とから連なって一体に形成されている。
【００２２】
また、図１および図３に示すように、エプロン本体１における、帯部１１における正面部１１ｅの下縁側１１ｄには、着物のお端折を模して下縁側１１ｄから垂れるような態様で、お端折風装飾部１７が設けられている。実施形態のお端折風装飾部１７は、図３に示すように、衿がついた状態の着物の身頃を利用し、胸当て部３に衿部３０が結合された態様で用意される上半身側構成部材５１の下縁部５１ａから構成されている。具体的には、上半身側構成部材５１は、衿部３０の左端側３０ｂを右端側３０ａの上に予め重ねてステッチ３２により固定された状態の胸当て部３が、帯部１１の上方に現れる部分よりも下方に延長されたものである。この上半身側構成部材５１を、下縁部５１ａを内側に折り曲げた状態で前掛け部７と縫合してエプロン本体１を完成させた後、帯部１１をエプロン本体１に縫合する際、折り曲げた下縁部５１ａが帯部１１の下縁側１１ｄに沿って現れるように配置することにより、お端折風装飾部１７が形成されている。
【００２３】
図６に示すように、着物風エプロンＡは、帯部１１とは別体の帯装飾部４０をさらに備える。帯装飾部４０は、帯部１１と共布からなるもので、着物の帯の結び部分を模して、予めお太鼓結びや蝶結び等の任意の結び方に結ばれた状態に成形された装飾部本体４０ａと、装飾部本体４０ａの左右両端から延びる結び紐部４０ｂ，４０ｂとを備える。帯装飾部４０は、後述するように、着物風エプロンＡの着用時の最後の段階において、帯部１１の背面に装飾部本体４０ａを配置して結び紐部４０ｂ，４０ｂを正面側で結び、帯部１１をより着物の帯に近付けて見せるためのものである。
【００２４】
以上のように構成された着物風エプロンＡを着用する際には、まず、ループ状となった衿部３０に頭を通して、係止部３０ｃを首に係止させる。次に、図４に示すように、衿抜き牽引部３５の右側帯体３５ａと左側帯体３５ｂを背中で交差させた上で引っ張りながら胴の正面側へ回し、正面側で結んで締める。その際、衿抜き牽引部３５を強く引っ張れば、衿が深く抜け、引きを甘くすれば、衿の抜き加減は浅くなる。その後、図５に示すように、帯部１１の右端側１１ａと左端側１１ｂとをそれぞれ胴回りに回し、締めて正面側で結ぶ。その際、右端側１１ａは、図６に示すようにスリット１３に通す。そして、図６の二点鎖線で示すように、帯装飾部４０の装飾部本体４０ａを、締めた帯部１１の背面に配置し、結び紐部４０ｂ，４０ｂを正面側に回して結び、結び目をポケット２０に隠せば、着物風エプロンＡを着用することができる。なお、本実施形態では、着物の衿をそのまま利用したため、ループ状の衿部３０を頭から被って着用する態様としたが、たとえば、衿部３０を係止部３０ｃ近傍で左右に分離して、ホック等で留めてループをなす構成としてもよい。
【００２５】
実施形態の着物風エプロンＡでは、着物を模して、胸当て部３が、帯部１１に至るまで右側部４と左側部５とに分離して形成され、首掛け部９としての衿部３０が、長尺帯状部材からなり、中間部位を首の後ろに係止される係止部３０ｃとし、左右両端側３０ａ，３０ｂを、それぞれ胸当て部３における右側部４と左側部５との内縁４ａ，５ａに沿って、相互にＶ字状に交差するように配置させたループ状に形成されている。そして、衿部３０の左端側３０ｂが右端側３０ａの上に重なるように予め配置された状態でステッチ３２により固定され、帯部１１に届くような態様で配置されている。また、帯部１１が、着物の帯を模して、エプロン本体１を左右方向に横切るように延設される広幅の長尺帯状に形成されている。このように構成された着物風エプロンＡを着用すれば、あたかも着物を着ているかのように見える。また、首掛け部９としてのループ状の衿部３０を首に掛け、帯部１１を胴回りに回し、締めて結ぶだけで着用できるから、一般の胸当て付きエプロンと同様に簡単に着用することができる。その上、着物の衿が「右前」に打ち合わされるように、衿部３０の左端側３０ｂが右端側３０ａの上に重なるように衿の打ち合わせが予め正しくなされて固定されているため、誰が着ても衿の打ち合わせを間違うことなく、正しい着物の着方を表現することができ、また、着用中に衿部３０が開いてくるといった着崩れの心配もない。もちろん、長尺状の帯部１１を締めて結ぶ形式であるので、一般のエプロンと同様、ワンサイズでさまざまな体格の人に対応することができる。
【００２６】
また、実施形態の着物風エプロンＡは、帯部１１における、着用時に正面となる正面部１１ｅにおいて、下縁側１１ｄがエプロン本体１に縫合される一方、上縁側１１ｃがエプロン本体１に縫合されていないことにより、帯部１１の正面部１１ｅの内周側にポケット２０が形成されている。これによれば、前掛け部７の表面に別途の布片を縫い付ける等の場合と比較して、仕事中に必要となる筆記具や伝票等を入れるポケットを、着物風の外観になんらの影響を与えることなく作ることができる。
【００２７】
また、着物風エプロンＡには、帯部１１の正面部１１ｅの下縁側１１ｄに沿って、着物のお端折を模して垂れるように設けられるお端折り風装飾部１７が設けられるため、特に女性用の着物の正しい着方を表現することができる。なお、男性用とする場合には、お端折風装飾部１７を設けない態様とし、肩口のフリル２５もなくして、胸当て部３の上下方向の寸法を長くすればよい。
【００２８】
また、着物風エプロンＡは、着用時の背面側において、衿部３０の係止部３０ｃを下方に引張り可能とする衿抜き牽引部３５が、係止部３０ｃの下縁側３０ｅから延びるように形成されている。これによれば、特に女性が着用する場合に、この衿抜き牽引部３５を下方に引っ張ることにより、首の後ろに係止される衿部３０の係止部３０ｃが背面側において下方に下げられるため、着物において衿抜きをするのと同じ態様になり、より着物らしさを表現することができる。実施形態のように、衿抜き牽引部３５を、相互に結び可能な右側帯体３５ａと左側帯体３５ｂとの２本の帯状部材とから構成すれば、引張り具合によって衿抜きの度合いを好みに応じて調節することができる。男性が着用する場合には、衿抜き牽引部３５をあまり引っ張らずに右側帯体３５ａと左側帯体３５ｂとを結べば衿を抜かない態様で着用すればよい。
【００２９】
また、着物風エプロンＡでは、着物の伊達衿を模した伊達衿部２７が、衿部３０の内縁３０ｄすなわち衿ぐりに沿って内縁３０ｄからはみ出すように設けられているので、より着物らしさを表現することができる。
【００３０】
さらに、着物風エプロンＡは、帯部１１と共布からなり、着物の帯の結び部分を模して予め任意の結び方に結ばれた状態に成形される別体の帯装飾部４０を備える。この帯装飾部４０を帯部１１の着用時の背面側に配置すれば、着物風エプロンＡを、より着物に近づけて見せることができる。実施形態では、帯装飾部４０の結び紐部４０ｂを紐状としたが、帯揚げを模した形状としてもよく、また、紐状部材で帯部１１に取り付けるのではなく、装飾部本体４０ａに任意のクリップを設けて帯部１１に取り付けることとしてもよい。
なお、本実施形態では、着物をリフォームして着物風エプロンＡを製造したが、もちろん、新品の織物生地を裁断した基布から着物風エプロンＡを製造してもよい。
【符号の説明】
【００３１】
１  ・・・  エプロン本体
３  ・・・  胸当て部
４  ・・・  右側部
４ａ  ・・・  内縁
５  ・・・  左側部
５ａ  ・・・  内縁
７  ・・・  前掛け部
９  ・・・  首掛け部
１１  ・・・  帯部
１１ｄ  ・・・  下縁側
１１ｅ  ・・・  正面部
１７  ・・・  お端折風装飾部
２０    ・・・  ポケット
２７  ・・・  伊達衿部
３０  ・・・  衿部
３０ａ  ・・・  右端側
３０ｂ  ・・・  左端側
３０ｃ  ・・・  係止部
３０ｄ  ・・・  内縁
３０ｅ  ・・・  下縁
３５  ・・・  衿抜き牽引部
４０  ・・・  帯装飾部
Ａ  ・・・  着物風エプロン
【図１】
0003168790.tif 000003
【図２】
0003168790.tif 000004
【図３】
0003168790.tif 000005
【図４】
0003168790.tif 000006
【図５】
0003168790.tif 000007
【図６】
0003168790.tif 000008